(57)【要約】【課題】柱状物またはその付属物の少なくとも部分円筒状をなす周面に正確にかつ容易に所定方向の孔を明け得るようにすることにある。【解決手段】橋脚１およびその補強用鋼板２の少なくとも部分円筒状をなす外周面に法線方向の貫通孔を明けるための治具３において、互いに平行な二本の直線状当接部４ａを有するとともにそれらの直線状当接部４ａに対し法線方向に向けて孔明け機６を固定支持する支持部材４と、二本の直線状当接部４ａを前記少なくとも部分円筒状をなす外周面にその円筒の軸線に平行な向きで当接させて支持部材４を橋脚１または補強用鋼板２に固定する、ワイヤ５ａおよびレバーブロック５ｂを有する支持部材固定手段５と、を具えてなる、柱状物の周面用孔明け治具である。【選択図】　　　　図１
2004019114.tif 000002
【特許請求の範囲】
【請求項１】
柱状物またはその付属物の少なくとも部分円筒状をなす周面に所定方向の孔を明けるための治具において、
互いに平行な二本の直線状当接部を有するとともにそれらの直線状当接部に対し所定方向に向けて孔明け機を固定支持する支持部材と、
前記二本の直線状当接部を前記少なくとも部分円筒状をなす周面にその円筒の軸線に平行な向きで当接させて前記支持部材を前記柱状物またはその付属物に固定する支持部材固定手段と、
を具えてなる、柱状物の周面用孔明け治具。
【請求項２】
前記支持部材固定手段は、
前記支持部材に結合されるとともに前記柱状物の外周に巻き掛けられて張力を与えられ、その張力により前記二本の直線状当接部を前記周面に当接させ巻き掛け部材と、
その巻き掛け部材に張力を与える引っ張り機構と、
を有することを特徴とする、請求項１記載の柱状物の周面用孔明け治具。
【発明の詳細な説明】
【０００１】
【発明の属する技術分野】
この発明は、柱状物またはその付属物の少なくとも部分円筒状をなす周面に所定方向の孔を明けるための治具に関するものである。
【０００２】
【従来の技術】
少なくとも部分円筒状をなす周面を持つ柱状物としては、例えば高架橋の鋼板製の円筒状の橋脚があり、またその柱状物の付属物としては、その橋脚の外周面に添うように設けられる補強用の部分円筒状の鋼板があり、その補強用の鋼板を橋脚に固定するには、固定用のボルトやリベット等の装着のために、それら橋脚の鋼板と補強用鋼板とにそれらを法線方向に貫通する孔を明ける必要がある。
【０００３】
【発明が解決しようとする課題】
ところで上記貫通孔の孔明けの際、従来は電磁石を持つ孔明け機を用い、その電磁石で孔明け機を補強用鋼板に吸着させて孔明けを行っていたが、電磁石の吸着面が平坦であるため、部分円筒状の鋼板上では孔明け機の姿勢が安定せず、法線方向の貫通孔を正確に明けるのは極めて困難であった。
【０００４】
【課題を解決するための手段およびその作用・効果】
この発明は、上記課題を有利に解決した孔明け治具を提供することを目的とするものであり、この発明の柱状物またはその付属物の周面用孔明け治具は、柱状物またはその付属物の少なくとも部分円筒状をなす周面に所定方向の孔を明けるための治具において、互いに平行な二本の直線状当接部を有するとともにそれらの直線状当接部に対し所定方向に向けて孔明け機を固定支持する支持部材と、前記二本の直線状当接部を前記少なくとも部分円筒状をなす周面にその円筒の軸線に平行な向きで当接させて前記支持部材を前記柱状物またはその付属物に固定する支持部材固定手段と、を具えてなるものである。
【０００５】
かかる孔明け治具にあっては、支持部材が、互いに平行な二本の直線状当接部を有するとともに、それらの直線状当接部に対し所定方向に向けて孔明け機を固定支持し、支持部材固定手段が、前記二本の直線状当接部を前記少なくとも部分円筒状をなす周面にその円筒の軸線に平行な向きで当接させて前記支持部材を前記柱状物またはその付属物に固定する。
【０００６】
従ってこの発明の柱状物またはその付属物の周面用孔明け治具によれば、支持部材固定手段によって柱状物またはその付属物に固定された支持部材の二本の直線状当接部が、柱状物またはその付属物の少なくとも部分円筒状をなす周面に、その周面の円筒の軸線に平行な向きで当接して、その周面に対する支持部材の姿勢を安定させ、その安定した姿勢で支持部材が、二本の直線状当接部ひいてはそれらが当接した周面に対し例えば法線方向等の所定方向に向けて孔明け機を固定支持するので、容易に柱状物またはその付属物に対し所定方向の孔を正確に明けることができる。ここで、二本の直線状当接部が当接する周面と孔明け機が孔を明ける周面とは、同一物の面でなくてもよく、例えば二本の直線状当接部が柱状物の周面に当接した状態で孔明け機が付属物の周面に孔を明けても、またその逆でもよい。
【０００７】
なお、この発明の柱状物またはその付属物の周面用孔明け治具においては、前記支持部材固定手段は、前記支持部材に結合されるとともに前記柱状物の外周に巻き掛けられて張力を与えられ、その張力により前記二本の直線状当接部を前記周面に当接させる巻き掛け部材と、その巻き掛け部材に張力を与える例えばラチェット式のレバーブロック等の引っ張り機構と、を有するものであってもよく、かかる支持部材固定手段によれば、簡易かつ安価な構成で、支持部材を確実に固定することができる。
【０００８】
【発明の実施の形態】
以下に、この発明の実施の形態を実施例によって、図面に基づき詳細に説明する。ここに、図１は、この発明の柱状物またはその付属物の周面用孔明け治具の一実施例を用いた孔明け作業を示す側面図、図２は、その図１のＡ−Ａ線に沿う断面図、図３は、その図２の一部を拡大して示す説明図であり、図中符号１は、柱状物としての橋脚、２は柱状物の付属物としての補強用鋼板、３は上記実施例の柱状物またはその付属物の周面用孔明け治具をそれぞれ示す。ここにおける橋脚１は鋼板で形成されて円筒状をなしており、その橋脚１の外周面に添うように設けられる補強用鋼板２も部分円筒状をなしている。
【０００９】
しかして上記実施例の孔明け治具３は、上記橋脚１および補強用鋼板２の少なくとも部分円筒状をなす外周面に法線方向の孔を明けるため、支持部材４と、支持部材固定手段５とを具えており、ここにおける支持部材４は鋼板で構成されていて、各々鋼板の先端面からなる互いに平行な二本の直線状当接部４ａを有するとともに、それらの直線状当接部４ａが乗る幾何学的平面に平行に位置する平坦な孔明け機支持面４ｂを有している。かかる支持部材４の構成により、電磁石６ａを持つ通常の孔明け機（可搬式ボール盤）６は、その孔明け機支持面４ｂ上に電磁石６ａで吸着されて、上記二本の直線状当接部４ａが乗る幾何学的平面に垂直な向きに孔明け工具を移動させて孔明けを行う姿勢で支持部材４に固定支持される。
【００１０】
また、ここにおける支持部材固定手段５は、上記二本の直線状当接部４ａを上記橋脚１またはそこに密接させた補強用鋼板２の少なくとも部分円筒状をなす外周面にその円筒の、橋脚１に沿って延在する軸線に平行な向きで当接させて、支持部材４を橋脚１またはそこに密接させた補強用鋼板２に固定するため、支持部材４の両側部に図１に示すように二本ずつ一端部を結合されるとともに橋脚１の外周に各々図２に示すように略半周分巻き掛けられて張力を与えられ、その張力により上記二本の直線状当接部４ａを上記少なくとも部分円筒状をなす外周面に当接させる、巻き掛け部材としての四本のワイヤ５ａを有するとともに、レバーの操作でラチェットを回転させてそれら四本のワイヤ５ａの他端部同士を引っ張りそれらのワイヤ５ａに張力を与える、引っ張り機構としてのラチェット式の二つのレバーブロック５ｂを有している。
【００１１】
かかる実施例の孔明け治具３にあっては、支持部材４が、互いに平行な二本の直線状当接部４ａを有するとともに、それらの直線状当接部４ａに対し所定方向に向けて孔明け機６を固定支持し、支持部材固定手段５が、上記二本の直線状当接部４ａを橋脚１またはそこに密接させた補強用鋼板２の少なくとも部分円筒状をなす外周面にその円筒の軸線に平行な向きで当接させて支持部材４を橋脚１またはそこに密接させた補強用鋼板２に固定する。
【００１２】
従ってこの実施例の孔明け治具３によれば、支持部材固定手段５によって橋脚１またはそこに密接させた補強用鋼板２に固定された支持部材４の二本の直線状当接部４ａが、橋脚１またはそこに密接させた補強用鋼板２の少なくとも部分円筒状をなす外周面に、その外周面の円筒の軸線に平行な向きで当接して、その外周面に対する支持部材４の姿勢を安定させ、その安定した姿勢で支持部材４が、二本の直線状当接部４ａひいてはそれらが当接した外周面に対し法線方向に向けて孔明け機６を固定支持するので、容易に橋脚１およびそこに密接させた補強用鋼板２に法線方向の貫通孔を正確に明けることができる。
【００１３】
ここで、二本の直線状当接部４ａが当接する外周面と孔明け機６が孔を明ける外周面とは、同一物の面でなくてもよく、例えば図１に示すように二本の直線状当接部４ａが橋脚１の外周面に当接した状態で孔明け機６が補強用鋼板２またはそれと橋脚１とに貫通孔を明けてもよく、また図示しないが二本の直線状当接部４ａが橋脚１に密接させた補強用鋼板２の外周面に当接した状態で孔明け機６が補強用鋼板２またはそれと橋脚１とに貫通孔を明けてもよい。
【００１４】
しかもこの実施例の孔明け治具３によれば、支持部材固定手段５が、支持部材４に結合されるとともに橋脚１の外周に巻き掛けられて張力を与えられ、その張力により二本の直線状当接部４ａを外周面に当接させるワイヤ５ａと、そのワイヤ５ａに張力を与えるレバーブロック５ｂとを有するものであるので、簡易かつ安価な構成の支持部材固定手段５で、支持部材４を橋脚１またはそこに密接させた補強用鋼板２に確実に固定することができる。
【００１５】
以上、図示例に基づき説明したが、この発明は上述の例に限定されるものでなく、例えば、柱状物またはその付属物の周面は少なくとも部分円筒状をなしていれば足りるので、柱状物は橋脚には限られず、その付属物も補強用鋼板には限られない。また、周面は内周面でもよく、孔明けする所定方向も法線方向には限られない。
【００１６】
さらに、柱状物や付属物はコンクリート製でもよい。そして、支持部材固定手段の巻き掛け部材は帯状や鎖状のものでもよく、また引っ張り機構も手動式の油圧ジャッキやねじジャッキやチェーンブロック、あるいは電動式のジャッキ等でもよい。
【図面の簡単な説明】
【図１】この発明の柱状物またはその付属物の周面用孔明け治具の一実施例を用いた孔明け作業を示す側面図である。
【図２】図１のＡ−Ａ線に沿う断面図である。
【図３】図２の一部を拡大して示す説明図である。
【符号の説明】
１　橋脚
２　補強用鋼板
３　孔明け治具
４　支持部材
４ａ　直線状当接部
４ｂ　孔明け機支持面
５　支持部材固定手段
５ａ　ワイヤ
５ｂ　レバーブロック
６　孔明け機
６ａ　電磁石
【図１】
2004019114.tif 000003
【図２】
2004019114.tif 000004
【図３】
2004019114.tif 000005